(57)【要約】  【課題】  折りたたみ型の携帯情報機器において、操作キーから構成される操作部を有する筐体の側面部に、円筒形状の操作部を備え、携帯情報機器を折りたたんだ状態でも、円筒形状の操作部を、ディスプレイを備える筐体に接触させずに回転させることができる、操作性の高い携帯情報機器を提供する。  【解決手段】  携帯情報機器１１は、表示部１５を有する第１筐体１２と、操作キー２０からなる操作部２１を有する第２筐体１３とを備え、第１筐体１２と第２筐体１３とを対向して折りたたむことができる。第２筐体１３は、その側面に回転体操作部２４をさらに備え、回転体操作部２４は、回転体操作部２４の中心軸を中心に回転させることができる。さらに、回転体操作部２４は、その回転量を検出する回転検出機構２９を有し、検出された回転量に対応して、表示部１５の表示内容を制御できる。【選択図】  図２
2006260312.tif 000002
【特許請求の範囲】
【請求項１】
表示部を有する第１筐体と、操作キーからなる操作部を有する第２筐体とを備え、第１筐体と第２筐体とを重ね合わせることができる携帯情報機器において、
前記第２筐体の側面に回転可能に設けられた回転体操作部と、
該回転体操作部の回転を検出する回転検出機構と、
該回転検出機構の検出結果に基づいて、前記表示部における表示内容の制御を行う表示制御部とを備えることを特徴とする携帯情報機器。
【請求項２】
前記回転体操作部は、前記第１筐体と前記第２筐体を重ね合わせた状態において、前記回転体操作部が前記第１筐体と接触せずに回転できるように備えられていることを特徴とする請求項１に記載の携帯情報機器。
【請求項３】
前記回転体操作部は、前記第１筐体と前記第２筐体を重ね合わせた状態において、重ね合わせた前記第１筐体と前記第２筐体の側面より外方に前記回転体操作部の一部が突出するように備えられていることを特徴とする請求項２に記載の携帯情報機器。
【請求項４】
前記第１筐体は、前記第１筐体を表裏反転するように少なくとも１８０°回転させる回転機構を有し、前記第１筐体の表裏どちらの面を露呈して、携帯情報機器を重ね合わせた状態においても、前記回転体操作部が前記第１筐体と接触せずに回転できることを特徴とする請求項１〜３の何れかに記載の携帯情報機器。
【請求項５】
前記表示内容は動画であり、前記回転検出機構で検出された前記回転体操作部の回転に対応して、動画を制御できることを特徴とする請求項１〜４の何れかに記載の携帯情報機器。
【発明の詳細な説明】
【技術分野】
【０００１】
本発明は、携帯情報機器に関し、特に回転体の操作部を有する携帯情報機器に関する。
【背景技術】
【０００２】
従来、携帯情報機器において、ディスプレイ上の表示をスクロールしたり、ディスプレイ上に存在するカーソルを移動させたり、表示内容を制御するための操作部として、様々な形態が考えられてきた。特に、携帯情報機器の一つである携帯電話機においては、現在、様々な機能を有するため、操作性を損なわないで効率よく操作可能な操作部が求められている。また、携帯電話機においては、小型化が求められており、操作部をコンパクトに携帯電話機本体に収納する必要がある。
【０００３】
上記要望に応える技術として、特許文献１などに開示されている技術がある。図２０は、特許文献１に開示された携帯情報機器の実施の形態を説明する外観図である。図２０を参照して、この携帯情報機器１は、側面部に円筒形状の操作部３と操作部回転機構とを備え、この操作部３の中心軸を中心に、携帯情報機器１本体の前面側から、携帯情報機器本体側面を通って、携帯情報機器本体の裏面側に回り込む方向または逆方向（Ａ−Ａ´方向）に操作部３を回転させることができる。そして、操作部３を回転させることでディスプレイ２上のポインティング位置を操作することが可能である。
【特許文献１】特開２００１−３５０５７９号公報
【発明の開示】
【発明が解決しようとする課題】
【０００４】
しかしながら、上記の文献などにより提案されているような従来の回転可能な円筒形状の操作部を有する構造の携帯情報機器には、以下に示す問題点があった。
【０００５】
図２０に示すように、上記従来の携帯情報機器は、回転可能な円筒形状の操作部を、ディスプレイを有する筐体の側面部または前面周縁部に備えたものである。この従来技術は、折りたたみ型の携帯情報機器に代表されるような、二つの筐体を重ね合わすことができる携帯情報機器に適用することを想定したものではなく、実際に折りたたみ型の携帯情報機器に適用しようとした場合には、様々な問題があった。
【０００６】
二つの筐体を対向させる折りたたみ型の携帯情報機器において、ディスプレイを有する筐体に、円筒形状の操作部を備えると、操作キーからなる操作部を有する筐体と別の筐体に円筒形状の操作部を備えることになり、操作性が悪いという問題があった。また、たとえ操作キーからなる操作部を有する筐体に円筒形状の操作部を備えたとしても、携帯情報機器を折りたたむ際に、円筒形状の操作部がディスプレイを有する筐体と接触するという問題もあった。ここで、折りたたみ型の携帯情報機器を例としたが、スライド型等の他の二つの筐体を重ね合わせる携帯情報機器であっても同様の問題があった。
【０００７】
また、現在の二つの筐体を重ね合わせる携帯情報機器は、サブディスプレイを備えていたり、ディスプレイを備える筐体を表裏反転するように１８０°回転させる機構を備えディスプレイを有する筐体を表裏反転させることが可能であったり、二つの筐体を重ね合わせた状態でも、サブディスプレイまたはディスプレイを露呈させて表示内容を制御できる構成を有するものがある。上記構成の携帯情報機器においては、二つの筐体を重ね合わせた状態においても、回転可能な円筒形状の操作部で制御したいという要望があり、円筒形状の操作部を、ディスプレイを有する筐体に接触させないで自由に回転させる必要性があった。
【０００８】
本発明は、上記課題を解決するためになされたもので、二つの筐体を重ね合わせる携帯情報機器において、操作キーから構成される操作部を有する筐体の側面部に、回転体操作部を備え、携帯情報機器の二つの筐体を重ね合わせた状態でも、回転体操作部を、ディスプレイを備える筐体と接触させずに回転させることができる、操作性の高い携帯情報機器を提供することを目的とする。
【課題を解決するための手段】
【０００９】
本発明の携帯情報機器は、
表示部を有する第１筐体と、操作キーからなる操作部を有する第２筐体とを備え、第１筐体と第２筐体とを重ね合わせることができる携帯情報機器において、
第２筐体の側面に回転可能に設けられた回転体操作部と、
回転体操作部の回転を検出する回転検出機構と、
回転検出機構の検出結果に基づいて、表示部における表示内容の制御を行う表示制御部とを備えたことを特徴とする。
【００１０】
かかる本発明の構成によれば、第１筐体と第２筐体とを重ね合わせることができる携帯情報機器において、第２筐体に、操作キーや機能キーなどからなる操作部とは別に回転体操作部を設けたものである。また、回転体操作部は、その回転量を検出する回転検出機構を有し、回転量に対応して、表示画面上のカーソル操作などの表示内容の操作を可能とするものである。よって、高い操作性を持たせることが可能となる。また、回転体操作部は、第２筐体の側面に備えられているため、携帯情報機器を開いて第２筐体を保持すると、親指が自然に回転体操作部周辺にあたり、左右の回転方向が親指の自然な動きに合致している為、使用者が無理なく操作することが可能となるものである。
【００１１】
また、本発明の携帯情報機器は、
さらに、回転体操作部は、第１筐体と第２筐体を重ね合わせた状態において、回転体操作部が第１筐体と接触せずに回転できるように備えられていることを特徴とする。
【００１２】
かかる本発明の構成によれば、携帯情報機器を第１筐体と第２筐体を対向して重ね合わせた状態であっても、回転体操作部が第１筐体と接触を起こすことないので、重ね合わせた状態のままでも、回転体操作部を用いて表示内容を制御することが可能となるものである。回転体操作部は、その中心軸の位置と柱径により、第２筐体から突出する形状は異なるが、その突出した部分が第１筐体と接触しないように、両者を設定することにより、接触を避けることが可能である。
【００１３】
また、本発明の携帯情報機器は、
さらに回転体操作部は、第１筐体と第２筐体を重ね合わせた状態において、重ね合わせた第１筐体と第２筐体の側面より外方に回転体操作部の一部が突出するように備えられていることを特徴とする。
【００１４】
かかる本発明の構成によれば、携帯情報機器を第１筐体と第２筐体を対向して重ね合わせた状態で、回転体操作部を回転する際に、重ね合わせた第１筐体と第２筐体の側面より外方に回転体操作部の一部が突出しているため、指が回転体操作部に接しやすく、より容易に回転体操作部を回転させることが可能となるものである。
【００１５】
また、本発明の携帯情報機器は、
さらに、第１筐体は、第１筐体を表裏反転するように少なくとも１８０°回転させる回転機構を有し、第１筐体の表裏どちらの面を露呈して、携帯情報機器を重ね合わせた状態においても、回転体操作部が第１筐体と接触せずに回転できることを特徴とする。
【００１６】
かかる本発明の構成によれば、第１筐体を少なくとも表裏反転するように１８０°回転させることができ、表示部を露呈して携帯情報機器を重ね合わせた状態でも、回転体操作部を第１筐体と接触させずに回転させて、表示内容を制御することが可能となるものである。
【００１７】
また、本発明の携帯情報機器は、
さらに、表示内容は動画であり、回転検出機構で検出された回転体操作部の回転に対応して、動画を制御できることを特徴とする。
【００１８】
かかる本発明の構成によれば、回転検出機構で検出された回転に対応して、動画の再生モードや再生速度などを制御することが可能となるものである。よって、片手だけで制御が可能となり、動画の操作性を向上させることができる。また、親指だけで動画を容易に制御することが可能なので、片手での本体の保持性が高まり、手の疲労を軽減できる。従って、揺れの大きな満員電車のような不安定な場所での動画の視聴や、長時間にわたる動画の視聴を可能とするものである。また、回転体操作部を右に回転させれば早送り、左に回転させれば巻き戻しという設定にすれば、親指の動きが時間軸の概念に合致するため、感覚的に操作の認識性を高めることができる。更に、使用者が、見たい場面をより容易に検索がすることができる。また、短時間で動画内容を確認することも可能となるものである。
【発明の効果】
【００１９】
以上説明したように、本発明の携帯情報機器によれば、第１筐体と第２筐体を重ね合わせることができる携帯情報機器において、第２筐体の側面に操作性の高い回転体操作部を備え、携帯情報機器の操作の効率化と高速化を実現することができる。さらに、携帯情報機器を、第１筐体と第２筐体を対向させて重ね合わせた状態でも、回転体操作部を、第１筐体と接触させずに使用することができる。
【００２０】
また、回転体操作部の回転量に対応した動画制御機能を持たせることにより、表示部の動画の操作性を著しく向上させることが可能となるものである。
【発明を実施するための最良の形態】
【００２１】
以下、本発明の実施の形態について図に基づいて説明する。
【００２２】
（実施の形態１）
図１は、本発明の第１実施形態である携帯情報機器１１の外観構成を示す斜視図である。図２、図３及び図４は、本発明の実施形態である携帯情報機器１１の正面図、右側面図及び背面図である。
【００２３】
以下、図１〜図４を参照して携帯情報機器１１の構成について説明する。
【００２４】
携帯情報端末１１は、第１筐体１２と、第２筐体１３と、第１筐体１２と第２筐体１３とを連結しそれぞれを対向して回転することができる回転機構１４とから構成される。
【００２５】
第１筐体１２は、携帯情報機器１１の一方の面に、表示部１５とスピーカ１６―ａ、１６−ｂとカメラ１７とを有する。表示部１５は、例えばLCD（Liquid Crystal Display）であり、各種表示を行う。スピーカ１６―ａ、１６−ｂは、表示部１５の両隣に一対で備えられている、音声通話中は、スピーカ１６−ａより音声が出力され、ＴＶなどの動画視聴中は、スピーカ１６−ａ、１６−ｂから音声が出力され、臨場感溢れるステレオ音声出力が可能である。カメラ１７は、表示部１５と同じ面に備えられており、特に、スピーカ１６−ａの領域の一部に配置されていることが好ましい。
【００２６】
また、第１筐体１２は、携帯情報機器１１の表示部１５を有する面とは反対の面に、副表示部１８とカメラ１９を有する。副表示部１８も、表示部１５と同様、例えばLCD（Liquid Crystal Display）であり、各種表示を行う。
【００２７】
第２筐体１３は、携帯情報機器１１を折りたたんだ状態の内側に、複数の操作キー２０からなる操作部２１とマイク２２を有する。複数の操作キー２０は、携帯情報機器１１の各種設定を行ったり、表示内容を制御したりするために用いられる。また、携帯情報機器１１を折りたたんだ状態の外側に、スタンド２３を有する。
【００２８】
さらに、第２筐体１３は側面に、回転体操作部２４を有する。回転体操作部２４は、その中心軸が第２筐体１３の側面と略平行になるように備えられており、回転体操作部２４内部の中心軸を中心に、正逆方向に回転が可能である。回転体操作部２４を回転させることにより、表示部１５または副表示部１８の表示内容を制御することが可能である。この回転体操作部２４の詳細な説明は後述する。
【００２９】
図５は、本発明の第１実施形態である携帯情報機器１１の折りたたんだ状態の外観構成を示す斜視図である。図６及び図７は、それぞれ本発明の実施形態である携帯情報機器１１の折りたたんだ状態の正面図及び右側面図である。
【００３０】
以下、図５〜図７を参照して携帯情報機器１１の折りたたんだ状態について説明する。
【００３１】
図５を参照して、携帯情報機器１１は、第１筐体１２と第２筐体１３を、表示部１５と操作部２１を有する面が対向するように折りたたんだ状態である。この折りたたんだ状態において、回転体操作部２４は、第１筐体１２と接触しないように設けられている。
【００３２】
図６を参照して、回転体操作部２４は、携帯情報機器１１本体からＸ方向に一部分が突出している。これにより、使用者は、携帯情報機器１１を折りたたんだ状態でも、回転体操作部２４を回転させることができる。さらに、回転体操作部２４を保持するための保持部２５を、円筒の上下に備える。保持部２５により、使用者が携帯情報機器１１をポケットなどにしまう際に、回転体操作部２４が引っ掛かって破損することを防ぐことができる。この保持部２５は、携帯情報機器１１の側面に対して、滑らかな形状で設けられていることがより好ましい。これにより、使用者は、突起物に指を当てる不快さを感じずに使用することが可能となる。
【００３３】
図７を参照して、回転体操作部２４は、一部が第１筐体の操作部２１を有する面よりＹ方向に一部分が突出した構成となっている。これにより、携帯情報機器１１を開いた状態で操作する場合において、回転体操作部２４が、一部突出していない場合に比べて、使用者の指により接しやすくなり、操作性を向上させることが可能となる。
【００３４】
図８は、本発明の第１実施形態である携帯情報機器１１の第１筐体１２の回転を説明するための図である。図９及び図１０は、本発明の第１実施形態である携帯情報機器１１の表示部を外側に露呈させて折りたたんだ状態の斜視図及び正面図である。
【００３５】
図８を参照して、第１筐体は回転機構１４を有し、第１筐体１２を表裏反転するように少なくとも１８０°回転させることが可能となっている。これにより、表示部１５と副表示部１８とを有する面が入れ替えた形態にすることが可能である。
【００３６】
図９及び図１０を参照して、携帯情報機器１１を折りたたんだ状態において、表示部１５を外側に露呈することができ、使用者が携帯情報機器１１を折りたたんだ状態でも表示部１５を見ながら、操作することが可能である。また、この場合においても、回転体操作部２４は、第１筐体１２と接触しないように備えられているため、折りたたんだ状態でも回転体操作部２４を自由に回転させて操作することが可能である。
【００３７】
図１１は、回転体操作部２４の断面図である。
【００３８】
以下、図１１を参照して回転体操作部２４について説明する。
【００３９】
図１１を参照して、回転体操作部２４は、ジョグツマミ２６、シャフト２７、シャフト受け部２８から構成される。２９は回転検出機構であり、回転検出機構２９は、回転検出センサー３０、回転検出用基板３１、回転検出用基板取付部３２から構成される。
【００４０】
ジョグツマミ２６は内部に中心軸方向にシャフト２７を有し、正逆方向に回転可能である。ジョグツマミ２６の一部が、携帯情報機器１１の側面及び操作部２１を有する面より突出するように、ジョグツマミ２６の半径とシャフト２７の位置が設定されている。また、ジョグツマミ２６の回転を検出できる位置に回転検出センサー３０が配置されている。回転検出センサー３０は、回転検出用基板取付部３２を介して第２筐体底キャビネット３３に取り付けられている回転検出用基板３１に接続されている。さらに、回転検出用基板３１には配線（図示せず）が接続されており、携帯情報機器１１の制御部（図示せず）と電気的に接続されている。
【００４１】
上記構成により、回転検出機構２９で検出された回転量に関する情報は配線を通じて、携帯情報機器１１の制御部（図示せず）に伝えられる。この回転量に対応して、表示部１５または副表示部１８の表示内容の操作が行われる。ここで示した、制御部に伝えられる回転量とは、ジョグツマミ２６の回転角度、回転角速度などである。
【００４２】
次に、図１２、図１３及び図１４を参照して携帯情報機器１１の使用方法を説明する。
【００４３】
図１２は、携帯情報機器１１を開いた状態での使用方法を示す図である。
【００４４】
図１２を参照して、使用者が携帯情報機器１１を保持した際に、回転体操作部２４は丁度親指があたる場所付近に備えられている。よって、従来の携帯情報機器と同様な自然なスタイルで、操作性の高い回転体操作部２４と操作部２１の操作キーとを併用することが可能となる。この併用により、操作の効率化、高速化を図ることが可能となる。
【００４５】
図１３は、携帯情報機器１１を閉じて、表示部１５を横画面にして視聴する使用方法を示す図である。ＴＶ放送などの動画を視聴するには、縦画面より横画面の方が適しているが、本形態をとることにより、携帯情報機器１１を横画面で使用することが可能となる。また、縦画面と横画面のどちらでも表示することができるように、表示方向は、使用者の操作または自動制御によって切り替えることが可能である。以上の構成により、図１３のように表示部１５を露呈して、ＴＶ放送などの動画を横画面で視聴する構成にすることが可能である。また、ここで表示内容として、ＴＶ放送などの動画を例示したが、メールなどの画面であってもよい。
【００４６】
図１４は、スタンド２３を使用して、携帯情報機器１１を使用する方法を示す図である。
【００４７】
ＴＶ放送等は、長時間の視聴が求められるため、携帯情報機器１１を手に持って使用すると、使用者に疲労感を与えてしまう。そこで、図１４に示すようにスタンド２３を使用することによって、携帯情報機器１１を置いて使用することができ、手を疲れさせずに長時間の視聴をすることが可能となる。
【００４８】
次に、図１５、図１６及び図１７を参照して回転体操作部２４を使用した、動画の操作方法について説明する。
【００４９】
回転体操作部２４は、動画の再生に関して、特に効果的に操作性を向上させることが可能である。動画の操作に関して、上記回転検出機構２９で検出された回転体操作部２４の回転量に対応した動画制御が割り当てられていることが好ましい。たとえば、記録された動画等を視聴する場合において、使用者は動画の再生速度を変えて視聴することが可能となる。
【００５０】
図１５〜図１７を参照して、動画の制御方法の一例を説明する。
【００５１】
図１５を参照して、使用者は、動画の再生中又は一時停止中に回転体操作部２４から親指を離すことにより、再生または一時停止の状態を継続することができる。
【００５２】
図１６を参照して、使用者は、動画の再生中に回転体操作部２４を矢印方向に回転させることにより、動画を巻戻しすることができる。親指で回転体操作部２４を矢印方向に回転させ、回転体操作部２４に接触させたままの状態であれば、巻戻しが継続され、離すと再生状態に戻る。
【００５３】
図１７を参照して、使用者は、動画の再生中に回転体操作部２４を矢印方向に回転させることにより、動画を早送りすることができる。親指で回転体操作部２４を矢印方向に回転させ、回転体操作部２４に接触させたままの状態であれば、早送りが継続され、離すと再生状態に戻る。
【００５４】
上記制御方法を実現するための構成の一例を次に述べる。早送り及び巻戻しは、回転体操作部２４に基準位置を設定しておき、回転検出センサーで基準位置からの回転角度を検出し制御部に伝達する構成である。制御部には、回転角度の大きさに比例した電流量またはパルス数で伝達され、制御部は上記量を計測またはカウントする手段をさらに備える。よって、回転角度に比例した速度で早送り及び巻戻しが可能となる。また、回転体操作部２４は、指を離すと自然に基準位置に戻る機構をさらに有していてもよい。また、回転体操作部２４は、側面に物体が接触しているかどうかを検知するためのセンサー（図示せず）を有していることが好ましい。これにより、再生、一時停止、早送り等の再生モードの切り替えが可能となる。
【００５５】
以上、回転体操作部２４による動画制御方法を述べたが、上記例は一例に過ぎず、回転体操作部２４の回転量と対応した、他の動画制御方法も考えられる。たとえば、上記例では、早送り及び巻戻しを継続させるために、指を接触させたままの状態を要しているが、回転体操作部２４を回転させ続ける方法で制御してもよい。この場合、回転角速度に対応した速度で早送り及び巻戻しが可能となるように、制御部が設計されていることが好ましい。
【００５６】
（実施の形態２）
図１８は、本発明の第２実施形態である携帯情報機器４１の外観構成を示す斜視図である。
【００５７】
第２実施形態の携帯情報機器４１は、図１に示した第１実施形態の携帯情報機器１１において一部要素の配置構成と一部構造を変更したものである。第１実施形態との共通の部分に関しては説明を省略して、第２実施形態の特徴部分について説明をする。
【００５８】
携帯情報機器４１は、第１筐体４２と、第２筐体４３と、第１筐体４２と第２筐体４３とを連結し第１筐体を図の矢印方向にスライドさせて重ねあわせことができるスライド機構（図示せず）とから構成される。
【００５９】
第２筐体４３には、特に表示部４４の表示を制御するための、回転体操作部４５を有する。回転体操作部４５は、第１実施形態の携帯情報機器１１に備えられている回転体操作部２４と同様の構造である。回転体操作部４５は、第２筐体４３の側面より外方に一部突出しており、また、携帯情報機器４１の第１筐体４２と第２筐体４３が重なりあった状態であっても回転体操作部４５が第１筐体４２に接触せずに回転できるように備えられている。さらに、回転体操作部４５は、第２筐体４３の操作キー４６のある面よりも一部突出している構造である。以上構成より第１実施形態の携帯情報機器１１の回転体操作部２４と同様の効果を得ることが可能である。
【００６０】
（実施の形態３）
図１９は本発明の第３実施形態である携帯情報機器５１の外観構成を示す斜視図である。
【００６１】
第３実施形態の携帯情報機器５１は、図１に示した第１実施形態の携帯情報機器１１において一部要素の配置構成と一部構造を変更したものである。第１実施形態との共通の部分に関しては説明を省略して、第３実施形態の特徴部分について説明をする。
【００６２】
携帯情報機器５１は、第１筐体５２と、第２筐体５３と、第１筐体５２と第２筐体５３とを連結し第１筐体５２を第２筐体５３に対して図の矢印方向に回転し開閉できる回転機構（図示せず）とから構成される。
【００６３】
本実施形態における携帯情報機器５１も、第２筐体５３に備えられている回転体操作部５４は、第１実施形態の携帯情報機器１１に備えられている回転体操作部２４と同様の構造である。回転体操作部５４は、第２筐体５３の側面より外方に一部突出しており、また、携帯情報機器５１の第１筐体５２と第２筐体５３が重なりあった状態であっても回転体操作部５４が第１筐体５２に接触せずに回転できるように備えられている。さらに、回転体操作部５４は、第２筐体５３の操作キー５５のある面よりも一部突出している構造である。以上の構成により、第１実施形態の携帯情報機器１１の回転体操作部２４と同様の効果を得ることが可能である。
【００６４】
以上、第１〜第３実施形態において、折りたたみ型（第１実施形態）、スライド型（第２実施形態）、回転型（第３実施形態）の携帯情報機器を例示して説明を行ったが、第１筐体と第２筐体を重ね合わせる方式は、他にも考えられ、その場合においても、回転式操作部を同様の構成で備えると、上記説明で行ったような効果が得られるものである。また、第２筐体の側面に設ける操作部は、回転体操作部として、円柱形状を例示して説明を行ったが、使用者が回転させやすいように、多角柱形状としてもよい。また、回転体操作部側面にすべり止めが施されてあってもよい。また、本実施形態は、右利きの使用者を想定して、回転体操作部を第２筐体の右側面に設けたものであるが、左利きの使用者の為に、左側面に設けてあってもよい。
【００６５】
なお、携帯情報機器は、例えば携帯電話機であるが、これに限定されるものではなく、ＰＤＡ（personal data assistant）、或いはノート型のパーソナルコンピュータなどであってもよい。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６７】
本発明は、回転体の操作部を有する携帯情報機器に、有効に適用することができる。
【図面の簡単な説明】
【００６８】
【図１】本発明の第１実施形態の携帯情報機器の斜視図である。
【図２】本発明の第１実施形態の携帯情報機器の正面図である。
【図３】本発明の第１実施形態の携帯情報機器の右側面図である。
【図４】本発明の第１実施形態の携帯情報機器の背面図である。
【図５】本発明の第１実施形態である携帯情報機器の折りたたんだ状態の外観構成を示す斜視図である。
【図６】本発明の第１実施形態である携帯情報機器の折りたたんだ状態の正面図である。
【図７】本発明の第１実施形態である携帯情報機器の折りたたんだ状態の右側面図である。
【図８】本発明の第１実施形態の携帯情報機器の第１筐体の回転を示す図である。
【図９】本発明の第１実施形態の携帯情報機器の表示部を外側に露呈して折りたたんだ形態の斜視図である。
【図１０】本発明の第１実施形態の携帯情報機器の表示部を外側に露呈して折りたたんだ形態の正面図である。
【図１１】本発明の第１実施形態の携帯情報機器の回転体操作部の断面図である。
【図１２】本発明の第１実施形態の携帯情報機器を開いて使用する場合の図である。
【図１３】本発明の第１実施形態の携帯情報機器を、表示部を外側に露呈して折りたたんだ形態で、表示部を横画面にして視聴する場合の図である。
【図１４】本発明の第１実施形態の携帯情報機器を、表示部を外側に露呈して折りたたんだ形態で、スタンドを利用して視聴する場合の図である。
【図１５】本発明の第１実施形態の携帯情報機器を、回転体操作部を利用して動画を操作する場合の図である。
【図１６】本発明の第１実施形態の携帯情報機器を、回転体操作部を利用して動画を操作する場合の図である。
【図１７】本発明の第１実施形態の携帯情報機器を、回転体操作部を利用して動画を操作する場合の図である。
【図１８】本発明の第２実施形態の携帯情報機器の斜視図である。
【図１９】本発明の第３実施形態の携帯情報機器の斜視図である。
【図２０】特開２００１−３５０５７９号公報に開示された携帯情報機器の実施の形態を説明する外観図である
【符号の説明】
【００６９】
１１、４１、５１  携帯情報機器
１２、４２、５２  第１筐体
１３、４３、５３  第２筐体
１４  回転機構
１５、４４  表示部
２１  操作部
２４、４５、５４  回転体操作部
２９  回転検出機構
【図１】
2006260312.tif 000003
【図２】
2006260312.tif 000004
【図３】
2006260312.tif 000005
【図４】
2006260312.tif 000006
【図５】
2006260312.tif 000007
【図６】
2006260312.tif 000008
【図７】
2006260312.tif 000009
【図８】
2006260312.tif 000010
【図９】
2006260312.tif 000011
【図１０】
2006260312.tif 000012
【図１１】
2006260312.tif 000013
【図１２】
2006260312.tif 000014
【図１３】
2006260312.tif 000015
【図１４】
2006260312.tif 000016
【図１５】
2006260312.tif 000017
【図１６】
2006260312.tif 000018
【図１７】
2006260312.tif 000019
【図１８】
2006260312.tif 000020
【図１９】
2006260312.tif 000021
【図２０】
2006260312.tif 000022